(57)【要約】【課題】分解組立性や清掃性・洗浄性を向上させつつも、ステータのスラスト方向の摩擦抵抗を抑制し得るステータ支承構造を備えた一軸偏心ねじポンプを提供する。【解決手段】この一軸偏心ねじポンプは、駆動軸３に直結された雄ねじ状のロータ２と、ハウジング７内に軸受を介して回転可能に支承されるとともにその回転軸線Ｌ１がロータ２の回転軸線Ｌ２に対して偏心して配置される雌ねじ状の内面を有するステータ４とを備え、ロータ２が回転しつつステータ４の軸心に対して偏心運動を行うことによって流体を吸入側８から吐出側９へ圧送するようになっており、前記軸受は、食品衛生法に適合した樹脂で作られるとともに、ステータ４の両端を回転自在に支承する円筒形の自己潤滑樹脂製のラジアル軸受５，６と、３層構造のグリス密封式のスラスト軸受３０，４０とから構成されている。【選択図】図１
2012017660.tif 000002
【特許請求の範囲】
【請求項１】
駆動軸に直結された雄ねじ状のロータと、ハウジング内に軸受を介して回転可能に支承されるとともにその回転軸線が前記ロータの回転軸線に対して偏心して配置される雌ねじ状の内面を有するステータとを備え、前記ロータが回転しつつ前記ステータの軸心に対して偏心運動を行うことによって流体を吸入側から吐出側へ圧送する一軸偏心ねじポンプであって、
前記軸受は、食品衛生法に適合した樹脂で作られるとともに、前記ステータの両端を回転自在に支承する円筒形の自己潤滑樹脂製のラジアル軸受と、２層構造もしくは３層構造のグリス密封式のスラスト軸受とから構成されていることを特徴とする一軸偏心ねじポンプ。
【請求項２】
前記スラスト軸受は、密封されるグリスとして、増ちょう剤としてアルミニウム複合石鹸もしくはフッ素樹脂を用い、かつ、ＮＳＦ（National  Sanitary  Foundation：国際衛生科学財団）Ｈ１に登録されたグリスを用いていることを特徴とする請求項１に記載の一軸偏心ねじポンプ。
【請求項３】
前記ステータは、その軸方向の両端部に、サニタリー性を有するシール部材が前記ハウジングとの間を密封するように装着されており、各シール部材の前記スラスト軸受の支持位置よりも端部側には、大気に連通するドレン口がそれぞれ設けられていることを特徴とする請求項１または２に記載の一軸偏心ねじポンプ。
【発明の詳細な説明】
【技術分野】
【０００１】
本発明は、食品原料、化学原料、下水汚泥などの粘性液を定量圧送する一軸偏心ねじポンプに係り、特に、この種の一軸偏心ねじポンプのステータ支承構造に関する。
【背景技術】
【０００２】
この種の一軸偏心ねじポンプとしては、雌ねじ状の内面をもつ固定されたステータに雄ねじ状のロータを内装し、そのロータを、自在継手を介して駆動軸に連結したものがある（例えば特許文献１の第１図参照）。この一軸偏心ねじポンプによれば、その駆動軸を回転させることにより、ステータの軸心に対してロータが回転しつつ偏心運動を行うことによって流体を吸入側から吐出側へ圧送することができる。
【０００３】
しかし、同文献記載の一軸偏心ねじポンプは、ステータが固定されており、ロータが大きな反力を受けながら回転するため、ステータ内面の直線状部分が磨耗し易く、性能が早期に低下する欠点があった。また、ロータの回転軸線がステータの軸線を中心として公転するため、駆動軸とロータとの間には自在継手を介在させる必要があり、構造が複雑になるばかりでなく、食品の圧送等に使用する場合、自在継手の分解組立に手間がかかるとともに内部の洗浄、清掃が困難であるといった間題があった。
【０００４】
そこで、これらの問題を解決するために、特許文献２に開示されるように、自在継手を介さずに、駆動軸に直結された雄ねじ状のロータと、軸受を介して回転可能に支承されるとともにその回転軸線がロータの回転軸線に対して偏心して配置される雌ねじ状の内面を有するステータとを備える一軸偏心ねじポンプが開発されてきた。
同文献記載の一軸偏心ねじポンプは、図５に類似例を示すように、ステータ１０４は、ゴム製のステータ内筒１０４ａを有し、このステータ内筒１０４ａの外周にはステータ外筒１０４ｂが装着されている。そして、このステータ１０４を、そのラジアル方向の荷重とスラスト方向の荷重の両方を支持するすべり軸受５，６で回転自在に支承すると共に、駆動軸３に固定した雄ねじ状のロータ２を、回転軸線Ｌ２がステータ１０４の軸線Ｌ１から所定距離Ｅだけ偏心するように構成している。
【０００５】
ここで、特許文献２記載の一軸偏心ねじポンプにおいて、この種の一軸偏心ねじポンプを食品の圧送等に使用する場合、例えば、食品衛生法適合の樹脂やセラミックスなどの材料で作られたすべり軸受５，６でステータ１０４を回転可能に支承すると共にステータ１０４の両端部にサニタリー性を有するシール部材１６，１８を装着するように構成する。
【先行技術文献】
【特許文献】
【０００６】
【特許文献１】特開昭５９−１５３９９２号公報
【特許文献２】特開２００９−２９３５２９号公報
【発明の概要】
【発明が解決しようとする課題】
【０００７】
しかしながら、特許文献２記載の一軸偏心ねじポンプでは、駆動軸とロータとの間に自在継手を介在させた従来の一軸偏心ねじポンプと比較して、分解組立性や清掃性・洗浄性においては大きく改善されるものの、ステータ１０４を支承するすべり軸受５，６が、ラジアル方向の荷重とスラスト方向の荷重の両方を支持する構成なので、セラミックス材料を用いた水中軸受とする場合には清水での潤滑が必要となるため、清水潤滑のための通路構造を要する等、ステータ部分の構造が複雑になるという問題がある。また、この軸受の材料に樹脂を用いた場合には、特にスラスト方向の摩擦抵抗が大きくなるため、軸受表面に食品用グリスを塗布して摩擦係数の低減を図る必要があるという問題がある。
【０００８】
そこで、本発明は、このような問題点に着目してなされたものであって、駆動軸とロータとの間に自在継手を介在させた従来の一軸偏心ねじポンプと比べ、分解組立性や清掃性・洗浄性を向上させつつも、ステータのスラスト方向の摩擦抵抗を抑制し得るステータ支承構造を備えた一軸偏心ねじポンプを提供することを目的としている。
【課題を解決するための手段】
【０００９】
上記課題を解決するために、本発明は、駆動軸に直結された雄ねじ状のロータと、ハウジング内に軸受を介して回転可能に支承されるとともにその回転軸線が前記ロータの回転軸線に対して偏心して配置される雌ねじ状の内面を有するステータとを備え、前記ロータが回転しつつ前記ステータの軸心に対して偏心運動を行うことによって流体を吸入側から吐出側へ圧送する一軸偏心ねじポンプであって、前記軸受は、食品衛生法に適合した樹脂で作られるとともに、前記ステータの両端を回転自在に支承する円筒形の自己潤滑樹脂製のラジアル軸受と、２層構造もしくは３層構造のグリス密封式のスラスト軸受とから構成されていることを特徴とする。
【００１０】
本発明に係る一軸偏心ねじポンプによれば、駆動軸に直結された雄ねじ状のロータと、軸受を介して回転可能に支承されるとともにその回転軸線がロータの回転軸線に対して偏心して配置される雌ねじ状の内面を有するステータとを備える一軸偏心ねじポンプとしているので、駆動軸とロータとの間に自在継手を介在させた従来の一軸偏心ねじポンプと比べて分解組立性や清掃性・洗浄性を向上させることができる。
【００１１】
そして、本発明に係る一軸偏心ねじポンプによれば、ステータを回転自在に支承する軸受を、ラジアル方向の荷重とスラスト方向の荷重を別個の軸受（つまり、ラジアル軸受とスラスト軸受）によって支持する構成なので、従来の一軸偏心ねじポンプと比べて分解組立性や清掃性・洗浄性を向上させつつも、ステータのスラスト方向の摩擦抵抗を抑制することができる。
【００１２】
特に、この軸受は、食品衛生法適合の樹脂で作られているので、食品の圧送等に使用する場合に好適であり、また、スラスト軸受は、２層構造もしくは３層構造のグリス密封式なので、スラスト方向の摩擦抵抗を抑制する上で好適である。なお、従来のラジアル方向の荷重とスラスト方向の荷重を同時に受ける一体形のすべり軸受（特許文献２参照）においては、スラスト軸受部の摩擦係数が０．２程度と大きく、軸受表面にグリスを塗布して摩擦係数を低減させる必要があったが、本発明に係る一軸偏心ねじポンプによれば、従来の一体形のすべり軸受を使用した場合に比べて、グリスを塗布すること無く、スラスト軸受部の摩擦係数を０．０５以下に低滅させることができる。
【００１３】
ここで、本発明に係る一軸偏心ねじポンプにおいて、前記スラスト軸受は、密封されるグリスとして、増ちょう剤としてアルミニウム複合石鹸もしくはフッ素樹脂を用い、かつ、ＮＳＦ（National  Sanitary  Foundation：国際衛生科学財団）Ｈ１に登録されたグリスを用いることは好ましい。このような構成であれば、食品の圧送等に使用する場合に、仮にグリスが食品と接触しても安全を確保できるとともに、このグリスは、耐水性を有したグリスなので、スラスト軸受が圧送液や洗浄水と接しても低い摩擦抵抗を持続できる。
【００１４】
また、本発明に係る一軸偏心ねじポンプにおいて、前記ステータは、その軸方向の両端部に、サニタリー性を有するシール部材が前記ハウジングとの間を密封するように装着されており、各シール部材の前記スラスト軸受の支持位置よりも端部側には、大気に連通するドレン口がそれぞれ設けられていることは好ましい。このような構成であれば、仮にステータ両端部に設けられたシール部材からの液洩れがハウジングとの間に発生した場合であっても、浸入した液をドレン口から外部に排出することができる。そのため、スラスト軸受への圧送液の浸入を防止することができる。
【発明の効果】
【００１５】
上述のように、本発明に係る一軸偏心ねじポンプによれば、駆動軸とロータとの間に自在継手を介在させた従来の一軸偏心ねじポンプと比べ、分解組立性や清掃性・洗浄性を向上させつつも、ステータのスラスト方向の摩擦抵抗を抑制することができる。
【図面の簡単な説明】
【００１６】
【図１】本発明に係る一軸偏心ねじポンプの一実施形態の側面図であり、同図では要部を軸線に沿った断面にて示している。
【図２】本発明に係る一軸偏心ねじポンプに用いる３層構造のスラスト軸受の断面図である。
【図３】本発明に係る一軸偏心ねじポンプに用いる２層構造のスラスト軸受の断面図である。
【図４】本発明に係る一軸偏心ねじポンプの変形例の側面図である。
【図５】従来の一軸偏心ねじポンプの側面図であり、同図では要部を軸線に沿った断面にて示している。
【発明を実施するための形態】
【００１７】
以下、本発明の第一の実施形態について、図面を適宜参照しつつ説明する。
図１に示すように、この一軸偏心ねじポンプ１は、不図示のモータが収容されるブラケット１１を有しており、このブラケット１１には、モータの駆動軸３側の面１１ａにハウジング７が装着されている。このハウジング７は、吸込側（同図の右側）から順に、吸込部７ａ、本体部７ｂおよび吐出部７ｃを備えて構成されている。ハウジング７の吸込部７ａには圧送流体の吸込口８が形成されており、また、吐出部７ｃには圧送流体の吐出口９が形成されている。そして、この一軸偏心ねじポンプ１は、このハウジング７内に、雄ねじ状のロータ２と、雌ねじ状の内面をもつステータ４とを備えている。
【００１８】
ロータ２は、先端側の螺旋部２ａと、直線状の基端部２ｂとから構成されている。基端部２ｂは、自在継手（ユニバーサルジョイント）を用いることなくモータの駆動軸３に直結される。螺旋部２ａは、回転軸線Ｌ２に対して偏心した長円形断面を有しており、この螺旋部２ａが、雌ねじ状の内面を形成したステータ４に内装されている。そして、このステータ４の回転軸線Ｌ１に対して、上記ロータ２の回転軸線Ｌ２は、所定の偏心量Ｅだけ偏心するように配置されている。
【００１９】
ここで、このステータ４は、その両端が、食品衛生法に適合した樹脂で作られた軸受によって回転自在に支承されており、当該軸受は、すべり軸受としての、ステータ４の両端を回転自在に支承する円筒形をなす自己潤滑樹脂製のラジアル軸受５，６と、３層構造のグリス密封式のスラスト軸受３０，４０とから構成されている。
詳しくは、このステータ４は、軸方向の中央に配設されたゴム製のステータ内筒４ａと、このステータ内筒４ａの外周面にインロー嵌合して嵌め込まれて接着された円筒状をなす金属製のステータ外筒４ｂとからなる。なお、ステータ内筒４ａ内部に形成される螺旋部４ｅは、その雌ねじ状のピッチがロータ２の螺旋部２ａの２倍である。
【００２０】
また、ステータ外筒４ｂには、その中央部に、スラスト軸受３０，４０との軸方向での当接面をつくる凸部４ｍが形成されている。なお、ステータ外筒４ｂの両端部４ｄとハウジング７との間（相互の軸直方向対向面間）には、サニタリー性を有する円環状のシール部材１６，１８が吸入側および吐出側それぞれに、ハウジング７との間を密封するように介装されている。
【００２１】
一方、ハウジング７を構成する吸込部７ａおよび本体部７ｂの内周面には、凹の段部７ｎがそれぞれ形成されている。そして、ラジアル軸受５、６は、その内周面がステータ外筒４ｂに外嵌されるとともに、その外周面が凹の段部７ｎに内嵌されることでラジアル方向の荷重を受けるようになっている。これにより、ステータ４（ステータ外筒４ｂ）の円筒部の両端部は、ラジアル軸受５、６を介して上記ハウジング７内に回転自在に支承される。なお、これらラジアル軸受５、６によっては、ステータ４の軸方向への移動は拘束されていない。
【００２２】
つまり、スラスト方向についてのステータ４の拘束は、上記軸受のうち、ラジアル軸受５、６とは別個のスラスト軸受３０，４０が受け持っている。特に、このスラスト軸受３０，４０は、３層構造のグリス密封式なので、スラスト方向の摩擦抵抗を抑制する上で好適である。なお、スラスト軸受３０，４０は、装着の向きが逆向きになる以外は、単体の構造自体は同じものを使用している。よって、以下の説明では、スラスト軸受３０について詳しく説明し、スラスト軸受４０については説明を省略する。
【００２３】
このスラスト軸受３０は、図２に拡大図示するように、合成樹脂製の外方環状板３８と、この外方環状板に内方から組み合わせられる合成樹脂製の内方環状板３２と、これら外方及び内方環状板３８，３２間に配された合成樹脂製の円環樹脂板３６とを備えて構成されている。
内方環状板３２は、円環板状に延設された側面部３２ｃと、この側面部３２ｃの内周縁と連なって外方環状板３８側に向けて内周縁に沿って立設された環状凸部３２ａと、側面部３２ｃの外周縁と連なって外方環状板３８側に向けて外周縁に沿って立設された係合爪部３２ｄとを有し、環状凸部３２ａと係合爪部３２ｄとによって形成される凹部が、環状凹部３２ｂを形成している。
【００２４】
一方の外方環状板３８は、内周面３８ａがステータ外筒４ｂの挿通孔とされる円筒部３８ｃと、この円筒部３８ｃの端部外周縁に沿って径方向外側に延設された円環板状の側面部３８ｆと、この側面部３８ｆの外周縁に沿って形成されて内方環状板３２側に向けて立設された係合鍔部３８ｄとを備えている。そして、係合鍔部３８ｄと円筒部３８ｃとによって形成される凹部が、内方環状板３２との協働によって円環樹脂板３６を収容するための環状凹部３８ｂを形成している。なお、円筒部３８ｃと環状凸部３２ａとはインロー嵌合する寸法になっている。
【００２５】
そして、外方環状板３８の環状凹部３８ｂと内方環状板３２の環状凹部３２ｂとを対向させてできる空隙部分に、円環樹脂板３６が摺動自在に配され、係合鍔部３８ｄ内周面の係合部３８ｇを外方環状板３８の係合爪部３２ｄ外周面の係合部３２ｇに弾性装着させて組合わされる。これにより、内方および外方環状板３２，３８間には外周側の弾性装着構造と内周側のインロー嵌合により、内部の円環樹脂板３６の軸受摺動面への外部からの塵埃等の異物の侵入を防止するように密封される。ここで、この円環樹脂板３６の両面には、グリースなどの潤滑剤が塗布される。本実施形態では、スラスト軸受３０，４０内に密封されるグリスとして、増ちょう剤としてアルミニウム複合石鹸もしくはフッ素樹脂を用い、かつ、ＮＳＦ（National  Sanitary  Foundation：国際衛生科学財団）Ｈ１に登録されたグリスを用いている。
【００２６】
このスラスト軸受３０および同一の構造のスラスト軸受４０は、図１に示すように一軸偏心ねじポンプに組込まれる。
すなわち、スラスト軸受３０は、外方環状板３８の内周面３８ａの挿通孔にステータ外筒４ｂが必要な軸受隙間を保持させて挿通され、さらに、外方環状板３８の側面部３８ｆの面をステータ外筒４ｂの凸部側面４ｕに当接させるとともに、内方環状板３２の側面部３２ｃの面をハウジング７の凹部端面７ｔに当接させてハウジング７とステータ４との間に配置される。なお、スラスト軸受４０についても、軸方向の装着向きが逆になる点以外は、スラスト軸受３０同様に装着される。
【００２７】
次に、この一軸偏心ねじポンプのステータ支承構造の作用・効果について説明する。
この一軸偏心ねじポンプ１は、駆動軸３に直結された雄ねじ状のロータ２と、ラジアル軸受５、６、およびスラスト軸受３０，４０を介して回転可能に支承されるとともにその回転軸線Ｌ１がロータ２の回転軸線Ｌ２に対して偏心して配置される雌ねじ状の内面を有するステータ４とを備え、ロータ２が回転しつつステータ４の軸心に対して偏心運動を行うことによって流体を吸入側から吐出側へ圧送する構成なので、モータの駆動軸３によってロータ２を回転させると、ロータ２はその回転軸線Ｌ２を中心として回転し、ロータ２の螺旋部２ａの動きに伴ってステータ４もその回転軸線Ｌ１を中心としてロータ２の回転と同期して従動回転することにより、圧送流体を吸込口８から吐出口９へ圧送することができる。
【００２８】
そのため、自在継手を用いない構成とすることができるので、構造が簡単であり、特に食品の圧送においては、自在継手のデッドスペースの洗浄の問題も解消され、駆動軸とロータとの間に自在継手を介在させた従来の一軸偏心ねじポンプと比べて分解組立性や清掃性・洗浄性を向上させることができる。
そして、この一軸偏心ねじポンプによれば、ステータ４を回転自在に支承する軸受を、上述したラジアル軸受５、６、およびスラスト軸受３０，４０によって支承する構成としたので、ラジアル方向の荷重とスラスト方向の荷重を別個の軸受によって支持することができる。
【００２９】
これにより、この一軸偏心ねじポンプに、一軸偏心ねじポンプの構造に起因するラジアル荷重が作用したときは、ステータ外筒４ｂの両端部のラジアル軸受５，６のみがラジアル荷重を支承する。このとき、スラスト軸受３０，４０内においては、各合成樹脂同志の摺動によってラジアル方向の移動が円滑に許容される。他方、スラスト荷重が作用したときは、スラスト軸受３０，４０のみがこれを支承する。このとき、ラジアル軸受５，６においては、ラジアル方向の移動が円滑に許容される。そのため、従来の一軸偏心ねじポンプと比べて分解組立性や清掃性・洗浄性を向上させつつも、スラスト方向の摩擦抵抗を抑制することができるのである。
【００３０】
特に、この一軸偏心ねじポンプによれば、ラジアル軸受５，６、およびスラスト軸受３０，４０が食品衛生法適合の樹脂で作られており、スラスト軸受３０，４０は、上述したような、３層構造のグリス密封式なので、スラスト方向の摩擦抵抗を抑制する上で好適である。なお、上述した、従来のラジアル方向の荷重とスラスト方向の荷重を同時に受ける一体形の軸受においては、スラスト軸受部の摩擦係数が０．２程度と大きく、軸受表面にグリスを塗布して摩擦係数を低減させる必要があったが、本実施形態の一軸偏心ねじポンプによれば、従来の一体形の自己潤滑樹脂軸受を使用した場合に比べて、グリスを塗布しなくとも、スラスト軸受３０，４０の摩擦係数を０．０５以下に低滅させることができる。
【００３１】
また、この一軸偏心ねじポンプによれば、グリス密封式のスラスト軸受３０，４０は、密封されるグリスとして、増ちょう剤としてアルミニウム複合石鹸もしくはフッ素樹脂を用い、かつ、ＮＳＦ（National  Sanitary  Foundation：国際衛生科学財団）Ｈ１に登録されたグリスを用いているので、仮にグリスが食品と接触した場合であっても安全を確保できる。そして、このグリスは耐水性を有するものなので、圧送液や洗浄水とスラスト軸受ユニットが接しても低い摩擦抵抗を持続できる。
以上説明したように、この一軸偏心ねじポンプのステータ支承構造によれば、駆動軸とロータとの間に自在継手を介在させた従来の一軸偏心ねじポンプと比べて、分解組立性や清掃性・洗浄性を向上させつつも、ステータ４のスラスト方向の摩擦抵抗を抑制することができる。
【００３２】
なお、本発明に係る一軸偏心ねじポンプは、上記実施形態に限定されるものではなく、本発明の趣旨を逸脱しなければ種々の変形が可能なことは勿論である。
例えば、上記実施形態では、スラスト軸受３０，４０が、３層構造のグリス密封式の例で説明したが、これに限らず、本発明に係る一軸偏心ねじポンプのステータ支承構造に採用するスラスト軸受としては、図３に変形例を示すように、２層構造のものを用いてもよい。
つまり、同図に示す例では、内方環状板３４が、上記実施形態の円環樹脂板３６と内方環状板３２とが一体構造とされ、これにより２層構造になっている。このような構成であっても、スラスト方向の摩擦抵抗を抑制することができる。
【００３３】
また、図４に変形例を示すように、本発明に係る一軸偏心ねじポンプにおいて、ステータ両端とハウジング７との間を密封するように装着したシール部材１６，１８を有する構成において、各シール部材１６，１８のスラスト軸受３０，４０の支持位置よりも端部側に、大気に連通するドレン口２０，２０をそれぞれ設ける構成とすることができる。このような構成であれば、仮にステータ４の両端部に設けられたシール部材１６，１８から液洩れが発生した場合でも、スラスト軸受３０，４０への圧送液の浸入を防止することができる。
【符号の説明】
【００３４】
１    一軸偏心ねじポンプ
２    ロータ
３    駆動軸
４    ステータ
５    自己潤滑軸受（ラジアル軸受）
６    自己潤滑軸受（ラジアル軸受）
７    ハウジング
８    吸込口
９    吐出口
１１    ベースブラケット
１６    （吐出側の）シール部材
１８    （吸入側の）シール部材
２０  ドレン口
３０    スラスト軸受
３２、３４    内方環状板
３６    円環樹脂板
３８    外方環状板
４０    スラスト軸受
【図１】
2012017660.tif 000003
【図２】
2012017660.tif 000004
【図３】
2012017660.tif 000005
【図４】
2012017660.tif 000006
【図５】
2012017660.tif 000007